(57)【要約】【課題】組み付け工数を少なくすることによって製造コストの低減を図ることのできる自動販売機の商品収納装置を提供する。【解決手段】各円弧板１２に、左右方向の端部から外側に延びるように設けられ、側板１１に設けられた支持孔１１ａに嵌合可能な支軸１２ｂと、支軸１２ｂの近傍に設けられるとともに、支軸１２ｂよりも左右方向の端部から外側に延びる寸法が小さく形成され、側板１１に設けられた長孔１１ｂに挿入可能な固定片１２ｃを設けたので、側板１１の支持孔１１ａに支軸１２ｂを挿入することにより、支軸１２ｂの近傍に位置する固定片１２ｃを長孔１１ｂに対して位置決めするとともに、固定片１２ｃを長孔１１ｂに挿入することができ、側板１１と円弧板１２の組み付け作業が容易となり組み付け工数の低減を図ることが可能となる。【選択図】図９
2008123204.tif 000002
【特許請求の範囲】
【請求項１】
互いに左右方向に間隔をおいて配置された一対の側板と、一対の側板間に設けられ、商品通路を形成する複数の通路板とを備えた自動販売機の商品収納装置において、
前記各通路板に、左右方向の端部から外側に延びるように設けられ、側板に設けられた所定の係止孔に嵌合可能な第１の係合部と、第１の係合部の近傍に設けられるとともに、左右方向の端部から外側に延びる寸法が第１の係合部よりも小さく形成され、側板に設けられた他の所定の係止孔に挿入可能な第２の係合部を設けた
ことを特徴とする自動販売機の商品収納装置。
【請求項２】
前記第２の係合部の左右方向の端部に、第１の係合部からの距離が小さくなるにつれて通路板の左右方向の端部から外側に延びる寸法が大きくなるような傾斜面を設けた
ことを特徴とする請求項１記載の自動販売機の商品収納装置。
【請求項３】
前記第２の係合部が挿入される係止孔を、第１の係合部が嵌合する係止孔側の幅寸法よりも第１の係合部が嵌合する係止孔側と反対側の幅寸法が大きくなる長孔によって形成した
ことを特徴とする請求項１または２記載の自動販売機の商品収納装置。
【発明の詳細な説明】
【技術分野】
【０００１】
本発明は、缶、ビンまたはペットボトル入りの飲料等の商品を販売する自動販売機の商品収納装置に関するものである。
【背景技術】
【０００２】
従来、この種の自動販売機の商品収納装置としては、互いに左右方向に間隔をおいて配置された一対の側板と、一対の側板間に設けられ、商品通路を形成する複数の通路板とを備えたものが知られている（例えば、特許文献１参照）。
【特許文献１】特開平５−３１４３６３号公報
【発明の開示】
【発明が解決しようとする課題】
【０００３】
従来の商品収納装置では、通路板を支持した状態のシャフトの両端をそれぞれ各側板に設けられた孔に挿通して各側板の外側から端部にプッシュナットを取り付けたり、かしめ加工を施したりして一対の側板間にシャフトを固定することにより、一対の側板間に各通路板を取り付けるようになっている。この場合、各通路板は、少なくとも２本のシャフトによって一対の側板間に取り付けられているため、商品収納装置を構成する部品点数が多くなり、製造コストが高くなる。
【０００４】
そこで、通路板とシャフトを一体に設けるとともに、通路板に各側板と係合可能な係合片を設け、シャフトによって通路板を一対の側板間に支持するとともに、各側板に設けられた孔に係合片を挿入して係合片を変形させることにより、一対の側板間に各通路板を取り付けるようにした商品収納装置が知られている。
【０００５】
しかしながら、前記通路板とシャフトを一体に設けたものは、通路板のシャフトや係合片などの複数の突起部をそれぞれ側板に設けられた孔に挿入する作業が必要となり、商品収納装置の組み付け工数が多くなることによって、製造コストが高くなるという問題点がある。
【０００６】
本発明は前記問題点に鑑みてなされたものであり、その目的とするところは、組み付け工数を少なくすることによって製造コストの低減を図ることのできる自動販売機の商品収納装置を提供することにある。
【課題を解決するための手段】
【０００７】
本発明は前記目的を達成するために、互いに左右方向に間隔をおいて配置された一対の側板と、一対の側板間に設けられ、商品通路を形成する複数の通路板とを備えた自動販売機の商品収納装置において、前記各通路板に、左右方向の端部から外側に延びるように設けられ、側板に設けられた所定の係止孔に嵌合可能な第１の係合部と、第１の係合部の近傍に設けられるとともに、左右方向の端部から外側に延びる寸法が第１の係合部よりも小さく形成され、側板に設けられた他の所定の係止孔に挿入可能な第２の係合部を設けている。
【０００８】
これにより、側板の所定の係止孔に第１の係合部を嵌合することにより、他の所定の係止孔に対して第２の係合部が位置決めされることから、側板の所定の係止孔に第１の係合部を挿入することにより、第２の係合部が他の所定の係止孔に挿入される。
【発明の効果】
【０００９】
本発明によれば、側板の所定の係止孔に第１の係合部を挿入することにより、第１の係合部の近傍に位置する第２の係合部を他の所定の係止孔に対して位置決めするとともに、第２の係合部を他の所定の係止孔に挿入することができるので、側板と通路板の組み付け作業が容易となり組み付け工数の低減を図ることが可能となる。
【発明を実施するための最良の形態】
【００１０】
図１乃至図１２は本発明の一実施形態を示すもので、図１は外扉を開放した状態を示す自動販売機の全体斜視図、図２は自動販売機の側面断面図、図３は円弧板及び姿勢制御板の斜視図、図４は円弧板の正面図、図５及び図６は円弧板及び姿勢制御板の分解斜視図、図７及び図８は側板と円弧板との組み付け方法を示す斜視図、図９は支軸及び固定片を示す円弧板の要部正面図、図１０は円弧板の支軸及び固定片と側板の支持孔及び長孔との関係を示す円弧板の要部正面図、図１１は側板の支持孔及び長孔を示す側板の要部側面図、図１２は円弧板の支軸及び固定片と側板の支持孔及び長孔との関係を示す側板の要部側面図である。
【００１１】
この商品収納装置を備えた自動販売機は、前面を開口した自動販売機本体１と、自動販売機本体１の左右方向の一端側に回転自在に支持され、自動販売機本体１の前面開口を開閉する外扉２と、自動販売機本体１内に設けられた商品収納部３と、商品収納部３の前面を開閉する内扉４とを備え、商品収納部３には複数の商品収納装置１０が前後及び左右に並べて吊り下げられている。
【００１２】
本実施形態の各商品収納装置１０は、缶、ビンまたはペットボトル等の容器に入った飲料などの商品を収納するためのものである。各商品収納装置１０は、自動販売機本体１の左右方向に対向する一対の側板１１と、一対の側板１１間の前後方向及び上下方向に取り付けられた複数の通路板としての円弧板１２とを備えている。一対の側板１１間には、蛇行状に上下に延びる第１の商品通路１３が複数の円弧板１２によって形成されている。第１の商品通路１３の下端には、周知の商品搬出機構１４が設けられ、第１の商品通路１３内の商品を下端側から一つずつ下方に落下搬出するようになっている。また、各第１の商品通路１３の左右方向一端側には、左右方向に移動自在に設けられた図示しない可動側板が上下に延びるように設けられ、第１の商品通路１３の通路幅が設定されるようになっている。
【００１３】
また、複数の商品収納装置１０のうち商品収納部３の前面側に位置する各商品収納装置１０には、各商品収納装置１０の各第１の商品通路１３に収納する商品を投入するための複数の商品投入口１５が上部に設けられている。
【００１４】
各商品投入口１５と各第１の商品通路１３の上端との間には、商品投入口１５から投入された商品を第１の商品通路１３の上端に案内するための第２の商品通路１６がそれぞれ設けられている。各第２の商品通路１６は、各商品投入口１５から各第１の商品通路１３に向かって下り傾斜をなすように設けられ、一対の側板１１間に支持された通路板としての商品案内板１６ａによって形成されている。
【００１５】
各円弧板１２は、プレス加工等によって金属板を円弧状に形成した円弧板本体１２ａと、円弧板本体１２ａを側板１１によって支持するための第１の係合部としての支軸１２ｂと、円弧板本体１２ａが側板１１に支持された状態で円弧板本体１２ａを側板１１に固定するための第２の係合部としての固定片１２ｃとからなる。
【００１６】
支軸１２ｂは、円弧板本体１２ａの上端側及び下端側にそれぞれ設けられ、円弧板本体１２ａの上端及び下端をそれぞれ左右方向に亘ってカーリング加工を施すことにより筒状に形成されている。また、支軸１２ｂは、中心軸方向の寸法が円弧板本体１２ａの左右方向寸法よりも大きく形成され、中心軸方向両端が円弧板本体１２ａの左右両端から外側に張り出すように設けられている。更に、支軸１２ｂには、端部に向かって外径が小さくなるように形成されたテーパー部１２ｄが設けられている。
【００１７】
固定片１２ｃは、円弧板本体１２ａの上端側に位置する支軸１２ｂの下方及び下端側位置する支軸１２ｂの上方の左右方向両側にそれぞれ設けられ、円弧板本体１２ａの左右方向外側に延びるように形成されている。また、固定片１２ｃの端部側には、円弧板本体１２ａに沿って上方また下方に延びるかしめ部１２ｅが設けられている。また、固定片１２ｃは、円弧板本体１２ａの端部から左右外側に延びる寸法Ｌ２が円弧板本体１２ａの端部から延びる支軸１２ｂの寸法Ｌ１よりも小さく形成されている。更に、固定片１２ｃの端部には、近傍に位置する支軸１２ｂから離れるにつれて円弧板本体１２ａの端部から左右外側に延びる寸法が小さくなるように形成された傾斜面１２ｆが設けられている。
【００１８】
また、円弧板１２を各側板１１間に取り付けるために、各側板１１は、支軸１２ｂを係合させるための係止孔としての支持孔１１ａと、固定片１２ｃを係合させるための係止孔としての長孔１１ｂを有している。支持孔１１ａは、支軸１２ｂの外径寸法と略同一の寸法に内径寸法が形成され、支軸１２ｂが嵌合するようになっている。また、長孔１１ｂは、近傍の支持孔１１ａ側の幅寸法が小さく、支持孔１１ａから離れるにつれて直線的に幅寸法が大きくなるように形成されている。
【００１９】
また、各円弧板１２の下端側の左右両側及び中央部には、第１の商品通路１３を落下する商品の落下姿勢を矯正する姿勢制御板１７を支軸１２ｂに連結するための連結孔１２ｇが設けられている。円弧板１２の左右両側に位置する連結孔１２ｇのそれぞれの外側には、円弧板本体１２ａを切り欠くことにより、姿勢制御板１７の先端が第１の商品通路１３に突出するように姿勢制御板１７を付勢するためのコイルバネ１８を支軸１２ｂに取り付けるためのバネ取付部１２ｈが設けられている。
【００２０】
姿勢制御板１７は、第１の商品通路１３の幅方向に延びる部材からなり、第１の商品通路１３の幅寸法から可動側板の移動範囲を差し引いた寸法よりも小さい寸法に形成されている。姿勢制御板１７の基端側の幅方向両側には、支軸１２ｂの外周面を半周分巻くように円弧状に形成されたフック１７ａがそれぞれ設けられ、各フック１７ａは、円弧板１２の幅方向中央部の連結孔１２ｇと幅方向両端の各連結孔１２ｇの一方に挿入されるようになっている。また、各フック１７ａの間には、フック１７ａとの間で支軸１２ｂを挟む位置に設けられ、支軸１２ｂの外周面に当接する当接面１７ｂが幅方向に亘って設けられている。更に、各フック１７ａの幅方向外側には、支軸１２ｂに取付けられたコイルバネ１８の一端部を姿勢制御板１７の下面に係合させるためのバネ受け部１７ｃが設けられている。即ち、姿勢制御板１７は、円弧板１２の左右一端側または他端側を選択して円弧板１２に連結されるようになっている。例えば、第１の商品通路１３の後側に位置する円弧板１２に連結される姿勢制御板１７が第１の商品通路１３側から見て円弧板１２の右側に連結される場合には、第１の商品通路１３の前側に位置する円弧板１２に連結される姿勢制御板１７は、第１の商品通路１３側から見て円弧板１２の左側に連結される。つまり、各姿勢制御板１７は、自動販売機本体１の前面側から見て第１の商品通路１３の右側に位置するように円弧板１２に連結されるようになっている。
【００２１】
また、左右一対のバネ取付部１２ｆのうち姿勢制御板１７が取り付けられる側には、ねじりバネとしてのコイルバネ１８が取り付けられるようになっており、コイルバネ１８によって姿勢制御板１７が支軸１２ｂから略水平に第１の商品通路１３側に突出するように付勢されている。
【００２２】
以上のように構成された自動販売機の商品収納装置において、一対の側板１１間に各円弧板１２を取り付ける場合には、各円弧板１２の支軸１２ｂを側板１１の支持孔１１ａに挿入するとともに、各円弧板１２の固定片１２ｃを側板１１の長孔１１ｂに挿入し、側板１１の左右方向の外側から固定片１２ｃのかしめ部１２ｅを塑性変形させる。これにより、各円弧板１２は、各側板１１に固定され、一対の側板１１間に取り付けられる。
【００２３】
このとき、円弧板１２の支軸１２ｂは、円弧板本体１２ａの端部から左右外側に延びる寸法が固定片１２ｃよりも大きいため、側板１１の支持孔１１ａに支軸１２ｂを挿入することにより、支軸１２ｂの近傍に位置する固定片１２ｃが長孔１１ｂに対して位置決めされ、更に支軸１２ｂを支持孔１１ａに挿入することにより固定片１２ｃが長孔１１ｂに挿入される。
【００２４】
また、支軸１２ｂを支持孔１１ａに挿入するときに、支軸１２ｂと支持孔１１ａの間にがたつきが生じ、固定片１２ｃと長孔１１ｂが位置ずれする場合には、固定片１２ｃの傾斜面１２ｆが近傍の支持孔１１ａから離れるにつれて幅寸法が大きくなる長孔１１ｂの内面に接触しながら移動するため、固定片１２ｃが長孔１１ｂに案内される。
【００２５】
即ち、円弧板１２の支軸１２ｂと側板１１の支持孔１１ａを位置決めし、側板１１に対して円弧板１２を左右方向に移動させるだけで、支軸１２ｂが支持孔１１ａに挿入されるとともに、固定片１２ｃが長孔１１ｂに挿入される。
【００２６】
このように、本実施形態の自動販売機の商品収納装置によれば、各円弧板１２に、左右方向の端部から外側に延びるように設けられ、側板１１に設けられた支持孔１１ａに嵌合可能な支軸１２ｂと、支軸１２ｂの近傍に設けられるとともに、支軸１２ｂよりも左右方向の端部から外側に延びる寸法が小さく形成され、側板１１に設けられた長孔１１ｂに挿入可能な固定片１２ｃを設けたので、側板１１の支持孔１１ａに支軸１２ｂを挿入することにより、支軸１２ｂの近傍に位置する固定片１２ｃを長孔１１ｂに対して位置決めするとともに、固定片１２ｃを長孔１１ｂに挿入することができ、側板１１と円弧板１２の組み付け作業が容易となり組み付け工数の低減を図ることが可能となる。
【００２７】
また、固定片１２ｃの左右方向の端部に、支軸１２ｂからの距離が小さくなるにつれて通路板１２の左右方向の端部から外側に延びる寸法が大きくなるような傾斜面１２ｆを設けたので、支持孔１１ａに支軸１２ｂを挿入する際に、固定片１２ｃを位置ずれの小さい支軸１２ｂ側から長孔１１ｂに挿入し、傾斜面１２ｆと長孔１１ｂの内面とを滑らせて固定片１２ｃを挿入することができ、支持孔１１ａに支軸１２ｂを挿入することにより、確実に長孔１１ｂに固定片１２ｃを挿入することが可能となる。
【００２８】
また、長孔１１ｂを、支持孔１１ａ側の幅寸法よりも支持孔１１ａ側と反対側の幅寸法が大きくなるように形成したので、固定片１２ｃを長孔１１ｂに挿入する際に、長孔１１ｂに対して固定片１２ｃの位置がずれている場合に、固定片１２ｃの傾斜片１２ｆと近傍の支持孔１１ａから離れるにつれて幅が大きくなる長孔１１ｂの内面とを滑らせて固定片１２ｃを長孔１１ｂ内に案内することができ、より確実に長孔１１ｂに固定片１２ｃを挿入することが可能となる。
【図面の簡単な説明】
【００２９】
【図１】本発明の一実施形態を示す外扉を開放した状態の自動販売機の全体斜視図
【図２】自動販売機の側面断面図
【図３】円弧板及び姿勢制御板の斜視図
【図４】円弧板の正面図
【図５】円弧板及び姿勢制御板の分解斜視図
【図６】円弧板及び姿勢制御板の分解斜視図
【図７】側板と円弧板との組み付け方法を示す斜視図
【図８】側板と円弧板との組み付け方法を示す斜視図
【図９】支軸及び固定片を示す円弧板の要部正面図
【図１０】円弧板の支軸及び固定片と側板の支持孔及び長孔との関係を示す円弧板の要部正面図
【図１１】側板の支持孔及び長孔を示す側板の要部側面図
【図１２】円弧板の支軸及び固定片と側板の支持孔及び長孔との関係を示す側板の要部側面図
【符号の説明】
【００３０】
１０…商品収納装置、１１…側板、１１ａ…支持孔、１１ｂ…長孔、１２…円弧板、１２ａ…円弧板本体、１２ｂ…支軸、１２ｃ…固定片、１２ｆ…傾斜部。
【図１】
2008123204.tif 000003
【図２】
2008123204.tif 000004
【図３】
2008123204.tif 000005
【図４】
2008123204.tif 000006
【図５】
2008123204.tif 000007
【図６】
2008123204.tif 000008
【図７】
2008123204.tif 000009
【図８】
2008123204.tif 000010
【図９】
2008123204.tif 000011
【図１０】
2008123204.tif 000012
【図１１】
2008123204.tif 000013
【図１２】
2008123204.tif 000014